(57)【要約】      （修正有）【課題】被処理液から、蛋白質を利用することによって、鉄、ラジウム、又は重金属類（鉄を除く）を吸着・分離回収する装置を提供する。【解決手段】被処理液をフィルター４１に通すことによって、被処理液から所定の金属類を除去して回収する、金属類回収装置１０であって、フィルター４１の構成素材が、鉄、ラジウム、又は重金属類（鉄を除く）、を吸着する蛋白質を、含有している。蛋白質としては鉄結合蛋白質として知られている、フェリチン又はフェリチンの部分分解物であるヘモジデリンなどが選択できる。【選択図】図１
2011025116.tif 000002
【特許請求の範囲】
【請求項１】
被処理液をフィルターに通すことによって、被処理液から所定の金属類を除去して回収する、金属類回収装置であって、
フィルターの構成素材が、鉄、ラジウム、又は重金属類（鉄を除く）、を吸着する蛋白質を、含有している、ことを特徴とする金属類回収装置。
【請求項２】
上記構成素材は、鉄含有繊維体であり、
上記蛋白質は、鉄含有繊維体の鉄に結合している、請求項１記載の金属類回収装置。
【請求項３】
鉄含有繊維体は、鉄からなる繊維体又は鉄を担持している繊維体である、請求項２記載の金属類回収装置。
【請求項４】
上記蛋白質は、フェリチン又はヘモジデリンである、請求項２記載の金属類回収装置。
【発明の詳細な説明】
【技術分野】
【０００１】
本発明は、被処理液から、鉄、ラジウム、又は重金属類（鉄を除く）を、回収可能な、金属類回収装置、に関するものである。
【背景技術】
【０００２】
被処理液から貴金属を回収して再利用に供することは、従来から、多く行われている。この回収には、化学的処理によって貴金属を凝集させる方法が、一般的に利用されているが、蛋白質の、貴金属を吸着する性質、を利用する方法も、提案されている（特許文献１参照）。
【先行技術文献】
【特許文献】
【０００３】
【特許文献１】特開２００７−１８５５５２号公報
【発明の概要】
【発明が解決しようとする課題】
【０００４】
しかしながら、上記のような回収方法では、イオン化傾向が比較的小さい貴金属を回収することはできるが、その他の金属を十分に回収することはできなかった。
【０００５】
一方、本発明者は、アスベストに起因すると思われる胸膜中皮腫の研究を行う中で、ラジウムなどの微量元素が沈着する現象を発見し、この沈着が、鉄結合蛋白質として知られている、フェリチン又はフェリチンの部分分解物であるヘモジデリンなどによって、引き起こされていることを、知見した。
【０００６】
そこで、本発明者は、これらの蛋白質を利用することによって、貴金属以外の金属類も高効率で回収できることに思い至り、本発明を成すに至った。
【課題を解決するための手段】
【０００７】
本発明は、被処理液をフィルターに通すことによって、被処理液から所定の金属類を除去して回収する、金属類回収装置であって、フィルターの構成素材が、鉄、ラジウム、又は重金属類（鉄を除く）、を吸着する蛋白質を、含有している、ことを特徴としている。
【発明の効果】
【０００８】
本発明においては、被処理液がフィルターを通る際に、被処理液中の、鉄、ラジウム、又は重金属類（鉄を除く）が、蛋白質に吸着される。蛋白質に吸着された、鉄、ラジウム、又は重金属類（鉄を除く）は、公知の化学処理によって、蛋白質から分離できるので、本発明によれば、被処理液から、鉄、ラジウム、又は重金属類（鉄を除く）を、回収可能である。
【図面の簡単な説明】
【０００９】
【図１】本発明の一実施例の金属類回収装置の断面略図である。
【図２】別の例のフィルターを備えたフィルター板の一部破断斜視図である。
【図３】本発明の別の実施例の金属類回収装置の断面略図である。
【発明を実施するための形態】
【００１０】
本発明の金属類回収装置は、被処理液をフィルターに通すことによって、被処理液から所定の金属類を除去して回収するものであり、フィルターの構成素材が、鉄、ラジウム、又は重金属類（鉄を除く）、を吸着する蛋白質を、含有している。
【００１１】
上記構成素材としては、鉄を含有している繊維体、すなわち鉄含有繊維体を、使用できる。鉄含有繊維体は、鉄からなる繊維体又は鉄を担持している繊維体である。鉄からなる繊維体は、鉄線を任意の長さに切断することによって形成できる。鉄を担持している繊維体は、人工繊維又は天然繊維の、表面に、全面的に又部分的に、鉄層を形成することによって、形成できる。この鉄層は、スパッタリング、真空蒸着、電気メッキ、無電解メッキなどの、公知の方法によって、形成できる。
【００１２】
蛋白質としては、フェリチン、及び／又は、フェリチンの部分分解物であるヘモジデリンを、使用できる。この蛋白質は、鉄、ラジウム、又は重金属類（鉄を除く）を吸着する性質を、有している。この蛋白質は、鉄含有繊維体の鉄に結合している。すなわち、上記構成素材である鉄含有繊維体は、蛋白質を含有している。蛋白質を鉄含有繊維体の鉄に結合させるためには、蛋白質の水溶液に鉄含有繊維体を浸漬させればよい。
【００１３】
本発明の金属類回収装置においては、被処理液がフィルターを通る際に、被処理液中の、鉄、ラジウム、又は重金属類（鉄を除く）が、蛋白質に吸着される。蛋白質に吸着された、鉄、ラジウム、又は重金属類（鉄を除く）は、公知の化学処理によって、蛋白質から分離できる。したがって、本発明の金属類回収装置によれば、被処理液から、鉄、ラジウム、又は重金属類（鉄を除く）を、回収可能である。
【実施例】
【００１４】
図１は、本実施例の金属類回収装置の断面略図である。この装置１０は、被処理液を貯留する第１タンク１と、処理済液を貯留する第２タンク２と、両タンク１、２を連結する供給管３と、供給管３に介設された濾過部４と、濾過部４より上流側にて供給管３に介設された供給ポンプ５と、を備えている。供給ポンプ５は、軸流ポンプである。
【００１５】
被処理液は、例えば、イオン化された金属又は微粒子状の金属を含有している、液体である。
【００１６】
第１タンク１は、被処理液を貯留可能であれば、どのような形態を有していてもよい。
【００１７】
被処理液は、適宜の濾過装置を用いて、スラッジや粒径の大きな懸濁粒子などを除去した後に、第１タンク１に貯留されるのが、好ましい。これによれば、第１タンク１内に不要な沈殿物が生じるのを、防止でき、また、スラッジや懸濁粒子などが濾取されることによって濾過部４の機能が低下するのを、防止できる。
【００１８】
濾過部４は、フィルター４１と、フィルター４１を着脱可能に収容しているハウジング４２と、からなっている。フィルター４１は、不織布の形態を有しており、ハウジング４１内に充填されている。フィルター４１の構成素材は、鉄含有繊維体であり、この鉄含有繊維体は、数ｍｍから数ｃｍ程度に切断された、数百μｍ程度の太さの、鉄線、からなる、鉄繊維体である。フィルター４１は、鉄繊維体と、ポリエステルなどの熱可塑性合成樹脂からなる樹脂繊維体とを、公知の方法によって絡み合わせて不織布を作製し、この不織布を、フェリチン及び／又はヘモジデリンを含む水溶液に、浸漬させて、鉄繊維体の表面に蛋白質層を形成することによって、作製される。
【００１９】
上記構成の金属類回収装置１０においては、供給ポンプ５が作動すると、第１タンク１内の被処理液が所定の圧力で濾過部４へ供給される。濾過部４へ供給された被処理液は、フィルター４１を通過する。その際、被処理液中の、鉄、ラジウム、又は重金属類（鉄を除く）が、フィルター４１の蛋白質に吸着される。そして、フィルター４１を通過した被処理液は、処理済液として、第２タンク２に貯留されていく。
【００２０】
ところで、蛋白質に吸着された、鉄、ラジウム、又は重金属類（鉄を除く）は、公知の化学処理によって、蛋白質から分離できる。したがって、上記構成の金属類回収装置１０によれば、被処理液から、鉄、ラジウム、又は重金属類（鉄を除く）を、回収可能である。
【００２１】
なお、上記構成の金属類回収装置１０は、次のような変形構成を採用できる。
（１）鉄含有繊維体としては、ポリエステル、ポリアミド、アクリルなどの熱可塑性合成樹脂からなる樹脂繊維体の、表面に、公知の方法によって、鉄層が形成されたものを、用いてもよい。
【００２２】
（２）フィルター４１の形態は、織布、成形体、又は網体でもよい。
【００２３】
（2-1）織布は、鉄含有繊維体を織って形成してもよく、又は、鉄含有繊維体を撚り合わせて撚糸を作製し、その撚糸を織って形成してもよい。なお、撚糸は、鉄含有繊維体と「他の繊維体」とを撚り合わせて作製してもよい。その場合において、「他の繊維体」の材料は、柔軟性、肌触り、吸湿性などを考慮して選択する。また、織布の形態を有するフィルターを作製する場合、鉄含有繊維体には、織る前に蛋白質が結合されてもよく、又は、織った後に蛋白質が結合されてもよい。織った後に蛋白質を結合させるためには、蛋白質の水溶液に織布を浸漬させればよい。
【００２４】
（2-2）成形体は、数ｍｍから数ｃｍの長さに切断された鉄含有繊維体を、公知の成形方法によって任意の形態に成形することにより、例えば圧縮成形方法によって円柱状に成形することにより、形成できる。なお、成形体は、鉄含有繊維体と「他の繊維体」とを混合して形成してもよい。その場合において、「他の繊維体」の材料は、柔軟性、肌触り、吸湿性などを考慮して選択する。また、成形体の形態を有するフィルターを作製する場合、鉄含有繊維体には、成形前に蛋白質が結合されてもよく、又は、成形後に蛋白質が結合されてもよい。成形後に蛋白質を結合させるためには、蛋白質の水溶液に成形体を浸漬させればよい。
【００２５】
（2-3）網体は、鉄含有繊維体を網状に編むことにより、形成できる。なお、網体は、鉄含有繊維体と「他の繊維体」とを網状に編んで形成してもよい。その場合において、「他の繊維体」の材料は、柔軟性、肌触り、吸湿性などを考慮して選択する。また、網体の形態を有するフィルターを作製する場合、鉄含有繊維体には、編む前に蛋白質が結合されてもよく、又は、編んだ後に蛋白質が結合されてもよい。編んだ後に蛋白質を結合させるためには、蛋白質の水溶液に網体を浸漬させればよい。
【００２６】
例えば、図２に示されるような、網体の形態のフィルター８０を備えたフィルター板８を、図３に示されるように、供給管３に介設してもよい。フィルター板８は、供給管３を遮断するように設けられている。フィルター板８は、フィルター８０を２枚の不織布８１、８２によって両面から挟んで構成されている。図３の金属類回収装置１０においても、濾過部４へ供給された被処理液が、フィルター８０を通過する際に、被処理液中の、鉄、ラジウム、又は重金属類（鉄を除く）が、フィルター８０の蛋白質に吸着される。したがって、図３の金属類回収装置１０によっても、被処理液から、鉄、ラジウム、又は重金属類（鉄を除く）を、回収可能である。
【００２７】
（３）鉄含有繊維体の代わりに、含鉄角閃石系のアスベスト、例えば、アモサイトやクロシドライトを用いることが可能である。しかしながら、環境保護の観点から、アスベストの使用は避けるべきである。
【産業上の利用可能性】
【００２８】
本発明の金属類回収装置は、被処理液から、鉄、ラジウム、又は重金属類（鉄を除く）を、回収可能であるので、産業上の利用価値が大である。
【符号の説明】
【００２９】
１０  金属類回収装置  ４１、８０  フィルター
【図１】
2011025116.tif 000003
【図２】
2011025116.tif 000004
【図３】
2011025116.tif 000005